(57)【要約】【課題】小さくて取付性のよいカバー体を用いることのできる複合サッシの框体を提供する。【解決手段】上下の横框５０の端面を左右の縦框６０の側面に突き合わせ方形状に框組みしてなり、横框５０と縦框６０は室外側の金属框５１、６１と金属框の室内側露出面を覆う樹脂框５２、６２とから構成されてなる框体において、縦框６０と横框５０を構成する金属框５１、６１と樹脂框５２、６２の端面は略面一状とされ、縦框６０の内周側上下端部は横框５０の断面形状に略適合するように金属框６１と樹脂框６２が面一状に切り欠かれた切欠端面６１ａ、６２ａを有し、縦框６０には切欠端面を覆う端面カバー体７０を設けてなる。【選択図】図４
2006183372.tif 000002
【特許請求の範囲】
【請求項１】
上下の横框の端面を左右の縦框の側面に突き合わせ方形状に框組みしてなり、上記横框と縦框は室外側の金属框と該金属框の室内側露出面を覆う樹脂框とから構成されてなる複合サッシの框体において、
上記縦框と横框を構成する金属框と樹脂框の端面は略面一状とされ、上記縦框の内周側上下端部は上記横框の断面形状に略適合するように上記金属框と樹脂框が面一状に切り欠かれた切欠端面を有し、上記縦框には上記切欠端面を覆う端面カバー体を設けてなることを特徴とする複合サッシの框体。
【請求項２】
上記縦框は内周面の長手方向略全長に渡ってガラス開口溝を有すると共に、該ガラス開口溝の底面に凹状の固定部を形成してなり、上記端面カバー体は上記固定部に差し込まれる差込部を有してなることを特徴とする請求項１記載の複合サッシの框体。
【請求項３】
上記差込部は上記端面カバー体の前面下端部よりも下方まで延びてなることを特徴とする請求項２記載の複合サッシの框体。
【発明の詳細な説明】
【技術分野】
【０００１】
本発明は複合サッシに用いられる框体に関し、特に室外側が金属材からなり室内側が樹脂材からなる複合材により構成される複合サッシの框体に関する。
【背景技術】
【０００２】
従来から、室外側が金属材からなり、室内側が樹脂材からなる複合材により構成される框体が知られている。框体は、上下の横框と左右の縦框とを方形状に框組みしてなるものである。そして框体の内部にはガラス体が納められて障子を構成する。この障子は、一般的に複合材から構成される枠体内に納められるものである。
【０００３】
従来の複合サッシの框体を構成する框材は、金属材を横框及び縦框に相当する長さに切断すると共に、端面付近に所定の切断加工等を施し、またそれとは別に樹脂材を金属材の室内側露出面に相当する長さに切断すると共に、端面付近に所定の切断加工等を施し、その上で樹脂材を金属材にスライドさせて取付け、さらに適所をカシメにより固定して製造していた。
【０００４】
横框は、内周側にはガラス体を納めるためのガラス開口溝を有し、外周側には枠体のレールに案内されるレール溝を有している。レール溝はガラス開口溝よりも幅狭であるため、横框の室内面には段差が形成されている。縦框は、横框の端面が突き合わされる内周面上下端部について、横框の形状に合わせて段差を有するように切り欠かれ、切欠端面を有している。
【０００５】
そして、縦框の内周面の上下端部にそれぞれ横框の端面を突き合わせ、固定することで横框と縦框を連結して框体を構成する。ここで、従来の框材を用いた場合は、樹脂框の端面は切欠端面と面一状となるように形成される。すなわち、金属框の切欠端面よりも端面側である框体の角部については樹脂框が設けられていない。そこで、金属框の角部を覆うカバー体が取付けられる。このようなカバー体が取付けられた框体としては例えば特許文献１に挙げるようなものがある。
【特許文献１】特開２００２−１８０７５３号公報
【発明の開示】
【発明が解決しようとする課題】
【０００６】
しかし、従来の複合サッシの框体では、金属框の角部全体を覆うカバー体を用いていたので、カバー体が大きくなり、コストアップの原因であると共に、框体に対する取付性も悪いものであった。また、特許文献１の図６に示すように、樹脂縦框のガラス開口溝を構成する部分についてはカバー体で覆われていなかった。
【０００７】
本発明は、上記課題を解決すべくなされたものであり、小さくて取付性のよいカバー体を用いることのできる複合サッシの框体を提供することを目的とする。
【課題を解決するための手段】
【０００８】
上記課題を解決するため、本発明に係る複合サッシの框体は、上下の横框の端面を左右の縦框の側面に突き合わせ方形状に框組みしてなり、上記横框と縦框は室外側の金属框と該金属框の室内側露出面を覆う樹脂框とから構成されてなる複合サッシの框体において、
上記縦框と横框を構成する金属框と樹脂框の端面は略面一状とされ、上記縦框の内周側上下端部は上記横框の断面形状に略適合するように上記金属框と樹脂框が面一状に切り欠かれた切欠端面を有し、上記縦框には上記切欠端面を覆う端面カバー体を設けてなることを特徴として構成されている。
【０００９】
また、本発明に係る複合サッシの框体は、上記縦框は内周面の長手方向略全長に渡ってガラス開口溝を有すると共に、該ガラス開口溝の底面に凹状の固定部を形成してなり、上記端面カバー体は上記固定部に差し込まれる差込部を有してなることを特徴として構成されている。
【００１０】
さらに、本発明に係る複合サッシの框体は、上記差込部は上記端面カバー体の前面下端部よりも下方まで延びてなることを特徴として構成されている。
【発明の効果】
【００１１】
本発明に係る複合サッシの框体によれば、金属框と樹脂框の端面は略面一状とされていることにより、横框と縦框の連結部分まで樹脂框が設けられることになり、縦框の内周側上下端部は横框の断面形状に略適合するように金属框と樹脂框が面一状に切り欠かれた切欠端面を有し、縦框には切欠端面を覆う端面カバー体を設けてなることにより、端面カバー体が切欠端面のみを覆うことから、安価でかつ取付性のよいカバー体を用いたものとすることができる。
【００１２】
また、本発明に係る複合サッシの框体によれば、縦框のガラス開口溝の底面に凹状の固定部を形成し、端面カバー体は固定部に差し込まれる差込部を有してなることにより、縦框に差し込むことで容易にカバー体を取付けることができる。
【００１３】
さらに、本発明に係る複合サッシの框体によれば、差込部は端面カバー体の前面下端部よりも下方まで延びてなることにより、差込部の挿入長さを大きくすることができ、端面カバー体を縦框に対して強固に取付けることができる。
【発明を実施するための最良の形態】
【００１４】
本発明の実施形態について図面に沿って詳細に説明する。図１は、本実施形態における框体２を用いたサッシの縦断面図であり、図２はその横断面図である。本実施形態の框体２は、横框である下框４０及び上框５０と、左右の縦框６０とを方形状に框組みしてなるものであって、その内部にガラス体３を納めて障子を構成する。障子は、外障子４と内障子５とが用意され、これらは建物開口部に設けられる枠体１内に引き違い状に納められて、引き違いサッシを構成する。
【００１５】
まず、図１及び図２によりサッシ全体について説明する。枠体１は、金属材からなる金属下枠１１と金属上枠２１及び左右の金属縦枠３１、３１を方形状に枠組みしてなり、それが建物開口部に対して固定されている。枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１６】
金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。また、金属上枠２１の下面には、その長手方向略全長に渡って外レール２１ａと内レール２１ｂ及び網戸レール２１ｃが形成されている。これらは金属下枠１１の各レールと対応した位置に形成されており、それぞれ外障子４と内障子５及び網戸６をサッシの長手方向に案内する。
【００１７】
金属縦枠３１の内周面には、外障子４を閉じた状態でその側面と対向する位置に外突出部３１ａが長手方向略全長に渡って設けられる。また、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００１８】
枠体１の室内側端部には、四周に渡って室内樹脂枠が設けられている。金属下枠１１の室内側端部には、室内樹脂下枠１３が設けられる。この室内樹脂下枠１３は、内レール１１ｂと金属下枠１１の室内面との間に形成される凹部内に納められ、さらに金属下枠１１の室内面よりも室内側に向かって延出する室内延出部１３ａを有してなるものである。
【００１９】
金属上枠２１の室内側端部に設けられる室内樹脂上枠２３も、同様に内レール２１ｂと金属上枠２１の室内面との間に形成される凹部内に納められ、さらに金属上枠２１の室内面よりも室内側に向かって延出する室内延出部２３ａを有してなる。
【００２０】
また、金属縦枠３１の室内側端部に設けられる室内樹脂縦枠３３は、内障子５が閉じた状態でそれと対向する側の金属縦枠３１に対しては、内突出部３１ｂよりも室内側に設けられ、さらに室内側に向かって延出する室内延出部３３ａを有してなる。外障子４が配置される側の金属縦枠３１に取付けられる室内樹脂縦枠３３は、金属材ができるだけ室内側に露出しないように、内障子５が配置される側の金属縦枠３１に取付けられる室内樹脂縦枠３３よりも室外側に延長した延長部３３ｂを有して構成される。延長部３３ｂは、外障子４を閉じた状態におけるその室内面の近傍位置まで延長されている。
【００２１】
次に、外障子４と内障子５について説明する。これらの障子は、横框である下框４０及び上框５０と、左右の縦框６０、６０とを方形状に框組みしてなる框体２の内部に、ガラス体３を納めてなるものである。そして、框体２は、室外側に金属材を配し、室内側に樹脂材を配した複合材からなるものである。
【００２２】
下框４０は、室外側の金属下框４１と、その室内面に取付けられる板状の樹脂下框４２とから構成されている。樹脂下框４２は、金属下框４１に係合し固定される。下框４０の上部は、長手方向略全長に渡って、グレチャン７を挟持しガラス体３を納めることができるように、凹形状とされた溝状のガラス開口部４５を形成している。
【００２３】
ガラス開口部４５の室外側は金属下框４１、室内側は樹脂下框４２により構成されている。すなわち、ガラス体３の室外面は金属下框４１により支持され、室内面は樹脂下框４２により支持されている。また、下框４０の下端部には、溝状のレール溝４６が形成されており、そこに戸車４３が設けられて、外障子４は外レール１１ａに、内障子５は内レール１１ｂに、それぞれ載置される。内障子５では、ガラス開口部４５よりもレール溝４６の方が幅狭に形成されており、このため下框４０の室内面には段差が形成されている。
【００２４】
上框５０は、室外側の金属上框５１と、その室内面に取付けられる板状の樹脂上框５２とから構成されている。樹脂上框５２は、金属上框５１に係合し固定される。上框５０の下部は、長手方向略全長に渡って、グレチャン７を挟持しガラス体３を納めることができるように、凹形状とされた溝状のガラス開口部５５を形成している。そして、下框４０と同様、それに納められるガラス体３は、室外面を金属上框５１により、室内面を樹脂上框５２により、それぞれ支持される。上框５０の上端部には、溝状のレール溝５６が形成されている。下框４０と同様に、内障子５の上框５０では、ガラス開口部５５よりもレール溝５６の方が幅狭に形成されており、このため上框５０の室内面には段差が形成されている。
【００２５】
縦框６０は、枠側縦框６０ａと召合せ框６０ｂとで形状が異なる。枠側縦框６０ａは、左右いずれも室外側の金属縦框６１と、その室内面に取付けられる板状の樹脂縦框６２とから構成されている。召合せ框６０ｂは、外障子４側は金属材からなる召合せ金属框６３のみから構成され、内障子５側は召合せ金属框６３と、その室内露出面に取付けられる板状の召合せ樹脂框６４とから構成される。
【００２６】
また、内障子５の召合せ金属框６３における室内露出面は、その室内面及び側面の二面あるため、召合せ樹脂框６４はそれらの面を覆うように断面略Ｌ字状とされている。また、召合せ樹脂框６４は召合せ金属框６３の室内面及びその背面となる室外面にそれぞれ係合し固定される。
【００２７】
金属縦框６１の内周面には、グレチャン７を挟持しガラス体３を納めることができるように、凹形状で溝状のガラス開口部６５が形成されている。樹脂縦框６２の内周側の先端部６２ａは、断面略コ字状に形成され、それが金属縦框６１の先端に係合してグレチャン７に圧接する。したがって、縦框６０においても、ガラス体３の室外面は金属縦框６１により、室内面は樹脂縦框６２により、それぞれ支持される。これによって、樹脂縦框６２とグレチャン７とが連続状となって、金属縦框６１を室内側に露出させない美観のよいサッシとすることができる。
【００２８】
図３には、内障子５として用いられる框体２の斜視図を示す。この図に示すように、横框である下框４０と上框５０、及び左右の縦框６０、６０は方形状に框組みされる。横框は溝状に形成されてなる縦框６０のガラス開口部６５に納められ固定されている。図３における右側の縦框６０は、内障子５を閉じた状態で縦枠３０側に配される枠側縦框６０ａであり、左側の縦框６０は、外障子４の縦框６０と召合せ状態となる召合せ框６０ｂである。
【００２９】
内障子５では、枠側縦框６０ａと召合せ框６０ｂのいずれも室内露出面を有しているため、それぞれに樹脂縦框６２と召合せ樹脂框６４が取付けられている。そして、図３に示すように、枠側縦框６０ａは、金属縦框６１と樹脂縦框６２の上端面が階段状で略面一状とされており、召合せ框６０ｂは、召合せ金属框６３と召合せ樹脂框６４の上端面が階段状で略面一状とされている。また、枠側縦框６０ａと召合せ框６０ｂの下端面も同様であり、下框４０と上框５０の両端面についても、金属材と樹脂材の端面が略面一状とされている。枠側縦框６０ａにおいて階段状に形成された上下端面には、それぞれ端面カバー体７０が設けられる。その詳細については後述する。
【００３０】
このように、各框を構成する金属框と樹脂框との端面が略面一状とされているのは、金属框の断面形状を有する長尺状の金属材に対し、樹脂框の断面形状を有する長尺状の樹脂材をあらかじめ取付けて複合材を形成しておき、その複合材を所定長さに切断して各框を形成するためである。すなわち、金属材と樹脂材が同時に切断されるためである。このように金属材と樹脂材の同時切断により框材を形成したことにより、金属材と樹脂材の端面が略面一状となり、各框の端部まで樹脂材が設けられることになる。したがって、横框と縦框の連結部分において金属材の露出部分を少なくすることができる。
【００３１】
図４には、上框５０と枠側縦框６０ａの連結部分の斜視図を示す。枠側縦框６０ａの上端部近傍は、段差を有する上框５０の断面形状に略適合するように、階段状に切り欠かれている。枠側縦框６０ａは、上述のように金属材に樹脂材を取付けた状態で同時切断され形成されており、端部を切り欠く際にも金属縦框６１と樹脂縦框６２が同時切断される。したがって、切欠部分の端面は金属縦框６１と樹脂縦框６２とで面一状となる。すなわち、金属縦框６１の切欠端面６１ａと樹脂縦框６２の切欠端面６２ａとが面一状で室内側に露出した状態となる。
【００３２】
また、枠側縦框６０ａのガラス開口部６５に挿入された上框５０の端面についても、一部が露出した状態となっている。これら枠側縦框６０ａの切欠端面６１ａ、６２ａ及び上框５０の端面が室内側に直接露出しないように、この部分に端面カバー体７０を取付ける。各切欠端面６１ａ、６２ａは枠側縦框６０ａの上端から縦方向に伸びる端面と、枠側縦框６０ａのガラス開口部６５の上端において横方向に伸びる端面とからなっている。従来の端面カバー体では、縦方向の端面のみを覆っていたのに対し、本発明の端面カバー体７０は、縦方向と横方向の両方の端面を覆うものである。
【００３３】
図５には、端面カバー体７０の斜視図を示している。また、図６には、図５とは反対側から見た端面カバー体７０の斜視図を示している。端面カバー体７０は、枠側縦框６０ａの縦方向の切欠端面６１ａ、６２ａを覆う縦カバー部７１と、枠側縦框６０ａの横方向の切欠端面６１ａ、６２ａを覆う横カバー部７２とが略直交配置され、それらが一体的に形成されている。また、縦カバー部７１の後方側には突起状の差込部７３が形成されており、この差込部７３は、横カバー部７２の前面下端部よりも下方位置まで突出して形成されている。
【００３４】
端面カバー体７０は、差込部７３を金属縦框６１に形成された固定部６１ｂに挿入して固定される。固定部６１ｂは、図２に示すように、内障子５の枠側縦框６０ａにおいて、ガラス開口部６５の底面に凹形状に形成される。差込部７３は、この固定部６１ｂに対して枠側縦框６０ａの上端面から挿入され、固定される。
【００３５】
図６には、端面カバー体７０を枠側縦框６０ａに対して取付けた状態の斜視図を示す。この図では、端面カバー体７０に加えて縦框６０の上端面に上端ブロック７５を取付けてある。端面カバー体７０は、縦カバー部７１により枠側縦框６０ａの縦方向の切欠端面６１ａ、６２ａを覆い、横カバー部７２により枠側縦框６０ａの横方向の切欠端面６１ａ、６２ａを覆っている。また、上框５０の端面のうち、露出した部分についても併せて覆っている。
【００３６】
端面カバー体７０は、枠側縦框６０ａと上框５０との連結部分だけでなく、枠側縦框６０ａと下框４０との連結部分にも設けられる。枠側縦框６０ａは長手方向に同じ断面形状を有し、また下框４０は上框５０を上下反転させた形状に形成されているので、端面カバー体７０は枠側縦框６０ａと上框５０との連結部分のものと同様に設けられる。
【００３７】
端面カバー体７０を設けることにより、枠側縦框６０ａと上框５０ないし下框４０の連結部分において露出する端面を覆うことができるので、室内側から見て意匠性の高い框体２とすることができる。また、金属縦框６１の切欠端面６１ａを覆うことにより、断熱性も高めることができる。
【００３８】
また、上述のように金属材と樹脂材の端面が面一状とされ、樹脂材が框材の端部にまで設けられていることにより、横框と縦框の連結部分を覆う端面カバー体７０を小さくすることができ、コストダウンすることができると共に、端面カバー体７０の取付性をよくすることができる。特に、金属縦框６１に固定部６１ｂを設け、端面カバー体７０にはその前面下端部よりも下方まで突出させた差込部７３を設け、差込部７３を固定部６１ｂに挿入して固定するようにしているので、端面カバー体７０を容易に取付固定することができる。
【００３９】
これまで、本発明の実施形態について説明したが、本発明の適用は本実施形態には限られず、その技術的思想の範囲内において様々に適用されうるものである。
【図面の簡単な説明】
【００４０】
【図１】本実施形態における框体を用いたサッシの縦断面図である。
【図２】本実施形態における框体を用いたサッシの横断面図である。
【図３】内障子に用いられる框体の斜視図である。
【図４】端面カバー体を取付ける前の状態における上框と枠側縦框の連結部分の斜視図である。
【図５】端面カバー体の斜視図である。
【図６】図５とは逆方向から見た端面カバー体の斜視図である。
【図７】端面カバー体を取付けた状態における上框と枠側縦框の連結部分の斜視図である。
【符号の説明】
【００４１】
１    枠体
２    框体
３    ガラス体
４    外障子
５    内障子
１０    下枠
２０    上枠
３０    縦枠
４０    下框
５０    上框
５５    ガラス開口部
５６    レール溝
６０    縦框
６０ａ  枠側縦框
６０ｂ  召合せ框
６１    金属縦框
６１ａ  切欠端面
６１ｂ  固定部
６２    樹脂縦框
６２ａ  切欠端面
７０    端面カバー体
【図１】
2006183372.tif 000003
【図２】
2006183372.tif 000004
【図３】
2006183372.tif 000005
【図４】
2006183372.tif 000006
【図５】
2006183372.tif 000007
【図６】
2006183372.tif 000008
【図７】
2006183372.tif 000009